(57)【特許請求の範囲】
【請求項１】
ラウドスピーカのコーンドライバに用いるリング形状のサラウンドであって、
サラウンドは、緩和しているとき、軸方向成分と半径方向成分とを有する方向に第１の距離延びる第１の部分を有する断面を持つ弾性膜を備え、
前記軸方向成分はリング形状の支持部が延びる平面に直交し、前記半径方向成分は前記平面に平行であり、
第２の部分は軸方向に第２の距離延びており、第３の部分は半径方向に第３の距離延びており、
前記第１及び第２の部分は第１の弾性結合部により接続され、前記第２及び第３の部分は第２の弾性結合部により接続され、前記第１の弾性結合部は前記第１及び第２の距離の少なくとも一方より短く接続され、前記第２の弾性結合部は前記第２及び第３の距離の少なくとも一方より短く接続される、ラウドスピーカのコーンドライバに用いるリング形状のサラウンド。
【請求項２】
前記第１の部分は、周囲においてうねっている表面を有する請求項１に記載のサラウンド。
【請求項３】
前記第２の部分は、滑らかな表面を有する請求項１又は請求項２に記載のサラウンド。
【請求項４】
前記第３の部分は、外側に延びているフランジを備える外側の先端を有する請求項１から３のいずれかに記載のサラウンド。
【請求項５】
前記外側に延びているフランジは、前記第２の部分から延びている請求項４に記載のサラウンド。
【請求項６】
前記第２の部分の表面から半径方向に延びる少なくとも１つのタブを更に備える請求項１から５のいずれかに記載のサラウンド。
【請求項７】
前記少なくとも１つのタブは、前記第１の部分の一部にも接続している請求項６に記載のサラウンド。
【請求項８】
前記少なくとも１つのタブは、前記外側に延びているフランジの一部にも接続している請求項４又は請求項５に従属する請求項６に記載のサラウンド。
【請求項９】
前記第１の部分は周囲においてうねっている表面を有し、前記サラウンドは複数のタブを有し、
前記タブの個数は前記周囲のうねりの個数と等しい請求項６から８のいずれかに記載のサラウンド。
【請求項１０】
前記第２の部分は、前記第１の部分から延びている請求項１から９のいずれかに記載のサラウンド。
【請求項１１】
内側のフランジと、外側のフランジと、それらの間における柔軟な材料のカラーと、前記内側のフランジに対して横切る方向に延びる少なくとも部分と、前記カラーから外側に延び前記カラーを横切る少なくとも１つのタブとを備えるラウドスピーカドライバ用のサラウンド。
【請求項１２】
前記カラーは、少なくとも一つの円弧部分を有する請求項１１に記載のサラウンド。
【請求項１３】
前記タブは、前記カラーの前記円弧部分のいずれかの側に取り付けられている請求項１２に記載のサラウンド。
【請求項１４】
前記タブは、前記カラーの内側の凹部に配置されている請求項１２又は請求項１３に記載のサラウンド。
【請求項１５】
前記タブは、前記カラーの外側の凹部に配置されている請求項１２又は請求項１３に記載のサラウンド。
【請求項１６】
前記タブは、複数存在する請求項１１から請求項１５のいずれかに記載のサラウンド。
【請求項１７】
前記複数のタブは、前記サラウンドの周囲に半径方向に分布している請求項１６に記載のサラウンド。
【請求項１８】
前記外側のフランジは、平坦である請求項１１から請求項１７のいずれかに記載のサラウンド。
【請求項１９】
前記内側のフランジは、部分的に円錐状である請求項１１から１８のいずれかに記載のサラウンド。
【請求項２０】
シャーシに配置された駆動コーンと、前記コーンと前記シャーシとのギャップとを埋める請求項１から１９のいずれかに記載のサラウンドと、を備えるラウドスピーカ用のドライバ。
【請求項２１】
請求項２０に記載のドライバを有するラウドスピーカ。
【発明の詳細な説明】
【技術分野】
【０００１】
本発明は、オーディオドライバ用のサラウンド、ドライバ及びラウドスピーカに関する。
【背景技術】
【０００２】
サラウンドは、一般的なコーンドライバにおける構成要素である。コーンドライバは、音スペクトルの特に低域（２０−５００Ｈｚ）及び中域（５００−３０００Ｈｚ）部分において広く使用されている。サラウンドは、コーンとシャーシとの間に配置される柔軟な空気シールを有する。
【０００３】
明らかに、サラウンドは、たとえ大きな動きであってもコーンの動きを妨げないように設計されなければならない。サラウンドの一般的な設計は、図１及び図２に示すようにハーフロールのレイアウトである。これは、（円形の）コーンの周囲に取り付けられ、コーンが嵌るシャーシにおいて（実質的に円形の）開口に対するブリッジを形成する環状のフランジ１０から構成される。平坦で円形のフランジ１２はサラウンドの外周に延び、サラウンドをシャーシに固定することを可能にする。内側のフランジ１４は、先端が切られたコーンを意味し、サラウンドをコーンに接続させつつ、コーン（不図示）の外リムと実質的に一致する。
【０００４】
「ハーフロール」１６は、（ブリッジング及び）内側のフランジ１４と外側のフランジ１２との間に設けられている。これは、最初に内側のフランジ１４から延びてコーンから離れて曲線を描く前にドライバに向かい、外側のフランジ１２を有するジャンクション１８に向かう材料の略半円形（断面）の長さである。２つのフランジの領域１２，１４は、略同じ軸方向位置に配置されている。ロール形状１６の周囲のゴム材料の長さは、シャーシ端部とコーン端部とのギャップ２０より長く、そのため、コーンが動くとき、ロール形状１６の周囲の余分の材料によってコーン端部とシャーシ端部とのギャップは増大して調整される。したがって、ハーフロールの設計は、コーン及びサラウンドが簡単な方法で動くとき、低周波数帯においてコーンが非常に小さくなることを妨げる。
【０００５】
サラウンドは、一般的に、ゴム等の柔軟な材料によって製造される。サラウンドがコーンの動きを妨げないように、その材料は弾性率が低い必要である。しかしながら、弾性率が低いので、材料の曲げ波速は通常非常に遅い。これは、サラウンドが非常に激しく共鳴できる中間周波数帯において問題を引き起こす可能性がある。サラウンドの表面積が非常に大きいと、すなわち一般的にコーンの面積のかなりの割合が非常に大きいと、このサラウンド共鳴は非常に効果的に正常に放射される。加えて、紙、ポリプロピレン又はケブラーから作られたもののような柔らかいコーンでは、コーンは「ブレークアップ」モードにおいて部分的に使用される場合、すなわちコーンが使用帯域幅において曲がる場合、サラウンドの動作がコーンの動きに大きな影響を持つ。更に、これらのモードにおいて、サラウンド共鳴は一般的により放射周波数応答を低下させるコーン端部の曲がりと符合する。これは部分的に、サラウンドが共鳴に近いときにコーン端部に現れる機械的なインピーダンスがサラウンドによって一般的に周波数に応じて大きく異なるからである。
【０００６】
従来、これらの問題を回避するために、数多くの技術が採用されている。
・サラウンド用の慎重な材料選択
・サラウンドの内側端部における小さな平坦な領域
・サラウンド材料の厚さの変更
・サラウンドにおけるロールの高さ及び幅の調整
【０００７】
しかしながら、これらの技術のどれもがすべての場合で成功することが保証されていない。これらの技術のどれもが完全にサラウンド共鳴を除去しない、多くの場合、それらは、放射された音において共鳴が明らかでないという問題を緩和するように動きを修正することにより動作する。このアプローチは一般的に細かくバランスのとれた設計に帰着し、それは他の理由のために形状又は材料の小さな変更が必要となることが示された場合、サラウンド共鳴問題が再浮上しうることを意味する。
【発明の概要】
【０００８】
ハーフロールのサラウンドが有する問題に加えて、ハーフロール１６がドライバ周囲の表面の境界で不規則性を提示していることを我々は認識している。それを回避するために、良いラウドスピーカの設計はラウドスピーカの外面において緩やかかつ広範囲なカーブを要求する。これは、ＧＢ２２３６９２９において開示されているような複合ラウドスピーカに特に適用される。急激な突然の不連続は、ドライバによって放射される音の伝搬に悪影響を及ぼす可能性がある。そのため、ハーフロールの形状を排除することが好ましいであろう。
【０００９】
したがって、第１の態様において、本発明は、緩和しているときに（すなわち、駆動されていないときに）一般的に半径方向に外側に第１の距離まで延び、方向を軸方向に変えて第２の距離延び、半径方向に第３の距離まで延びている断面形状を有する形状に形成された膜を備え、第２の距離が第１及び第３の距離の少なくとも一方より短い、ラウドスピーカ用でリング状のサラウンドを提供する。
【００１０】
この提示の別の手段は、緩和しているとき、半径方向に第１の距離延びている第１の部分と、軸方向に第２の距離延びている第２の部分と、半径方向に第３の距離延びている第３の部分とを有する断面形状を持つ形状に形成された膜を備え、第１及び第２の部分は第１フレキシブル結合（第１の弾性結合部）により接続され、第２及び第３の部分は第２フレキシブル結合（第２の弾性結合部）により接続され、第１フレキシブル結合は第１及び第２の距離の少なくとも一方より短い第１の曲率半径を有し、第２フレキシブル結合は第２及び第３の距離の少なくとも一方より短い第２の曲率半径を有する、ラウドスピーカ用でリング形状のサラウンドである。
【００１１】
このように、サラウンドは、第１の半径方向に延びる部分と、軸方向に延びる部分に至る比較的急な曲げとを持つＺ形状を有している。これはラウドスピーカのコーンの動きに対応するために必要な柔軟性を提供するだけでなく、ドライバのコーンと周囲のラウドスピーカのハウジングとの間を滑らかに移動することができるサラウンドの一部を提供する。軸方向に伸びる部分は、適切なハウジングのトリムによって覆うことができる。
【００１２】
第１の半径方向に延びる部分は、ドライバの対称の中心軸に対して厳密に垂直に外側に延びる必要はない。実際、この部分に関し、ラウドスピーカのコーンのフレアに（ある程度）連続することが好ましい。しかしながら、それは半径方向外側の成分をかなり有する方向に延びるべきである。
【００１３】
ドライバのサイズに応じて、サラウンドの大きな実質的に平坦面の領域は共鳴を増加させる可能性がある。これを解決するためには、半径方向に外側に延びる部分は円周においてうねっている、好ましくは連続してうねっている表面を持つことができる。これは、他の平坦面に対する補強効果を提供し、かつそのような共鳴を抑制することができる。軸方向に延びる部分は、滑らかな表面を持つことができる。実際、そのようなうねりを有するＺ型サラウンドは、対応するハーフロールのサラウンドよりも共鳴に対して大きな抵抗を提供できることがわかる。
【００１４】
ドライバの周囲に位置する支持部にサラウンドを固定するのを補助するために、外側に伸びるフランジを備える外側の先端が提供される。この外側に延びるフランジは、好ましくは第２の部分から延びる。通常、上述のように定義された形状は、外側と内側のフランジが互いに相対的に軸方向にオフセットされることを意味する。
【００１５】
第２の部分の局所方向を横切る方向において、第２の部分の表面から延びている１つ又は複数のタブを設けることができる。これらは、サラウンドの動的な特性に影響を与え、必要に応じてサラウンドを調整するような位置及び大きさにすることができる。タブはまた、第１の部分の一部に接続し、それにより第１及び第２の部分の間を橋渡しし、サラウンドの曲げ剛性を調整するために提供される。それに代わり、又はそれに加えて、タブは同じ目的のために外側に延びるフランジの部分に接続することができる。
【００１６】
第２の部分は、典型的には第１の部分の外側の先端において、第１の部分から延びていることが好ましい。
【００１７】
第２の態様において、本発明は、内側のフランジと、外側のフランジと、内側のフランジから外側のフランジに延びている柔軟な材料のカラーと、カラーから外側に延びカラーを横切る少なくとも１つのタブとを備えるラウドスピーカのドライバ用のサラウンドを提供することができる。タブはサラウンドの共鳴動作に影響を与え、周囲のアイテムの形状に影響を与えることなく望ましくない共鳴を除去するような大きさ及び位置にすることができる。
【００１８】
カラーは、好ましくは少なくとも一つの湾曲部を含む。この場合、タブは共鳴動作に関する最大の効果が得られるように湾曲部のカラーのいずれかの側に接続される。それはカラーの内側の凹部若しくはカラーの外側の凹部に配置することができ、又はタブを両方の位置に設けることができる。
【００１９】
実際、必要な効果を提供するために、タブが複数存在することが好ましい。それらは、理想的には高度の回転対称性を有するサラウンドの周りに放射状に分散される。
【００２０】
上述のように一般的に、外側のフランジは平坦になり、内側のフランジは円錐形部分になる。
【００２１】
更なる態様において、本発明は、シャーシに配置される駆動コーンと、コーンとシャーシとのギャップを埋めるサラウンドとを備え、サラウンドが上方に配置されているラウドスピーカ用のドライバに関する。
【００２２】
さらに別の態様において、本発明はこのようなドライバを有するラウドスピーカに関する。
【００２３】
一般に、本発明は、ラウドスピーカのコーンの半径方向に外側に延びている部分と、それを横断する方向に（すなわち、ラウドスピーカのコーンに対して一般的に軸方向に）延びる部分とを持つサラウンドにより、高度の有節発音の効果を得る。コーンの撓みは、第１の部分の収縮及び（必要に応じて）第２の部分の内側への撓みによって調整することができる。したがって、本発明は、このようなサラウンドの設計を包含する。しかしながら、我々はこのような単純な形においてサラウンドが柔軟すぎかつ平伏すぎるので共鳴しないと思われる。これを克服するために、我々は上述のように円周のうねりとタブとを提案する。それぞれは、サラウンドの共鳴やその他の動的な特性を制御する一助となる。
【００２４】
一般的に、サラウンドは円形のドライバの周囲に合わせて円形になる。しかしながら、他の形状も可能である。
【図面の簡単な説明】
【００２５】
本発明の実施形態を、添付図面を参照し、実施例によって説明する。
【図１】従来のハーフロールのサラウンドの側面図を示す。
【図２】従来のハーフロールのサラウンドの一方の端部の断面を示す。
【図３】本発明に係るサラウンドの斜視図を示す。
【図４】本発明に係るサラウンドの側面からの断面図を示す。
【図５】本発明に係るサラウンドの端部の拡大断面図を示す。
【図６】本発明に係るサラウンドのある偏位状態における一部断面図を示す。
【図７】本発明に係るサラウンドのある偏位状態における一部断面図を示す。
【図８】本発明に係るサラウンドのある偏位状態における一部断面図を示す。
【図９】図３−８に示すサラウンドにブロックがある場合とない場合のドライバの周波数応答を示す。
【図１０】ラウドスピーカのキャビネット内に含まれるドライバの端部に配置されるサラウンドを示す。
【図１１】ラウドスピーカのキャビネット内に含まれるドライバの端部に配置される変形例のサラウンドを示す。
【発明を実施するための形態】
【００２６】
本発明は、既存のラウドスピーカのサウンドを改善することを目的とする。先ず、ラウドスピーカのコーンから周囲のキャビネット又はハウジングへの移動をスムーズにすることを目的とする。また、（必要な場合）共鳴で発生する複雑な変形のためにサラウンドに重要なダンピング及び曲げ剛性を追加し、低周波数帯においてコーンが前後に移動したときに発生するような単純な変形においては影響を小さくすることも目的とする。
【００２７】
新しいサラウンドは、従来の技術を用いて製造される。本発明の全ての好ましい態様を取り入れたサラウンドは、２つの部品から構成される新しい形状を有する。第１の部品は円周にうねりを持ち、薄く半径方向に延びる空気シール面であり、第２の部品は空気シール面を補強する薄い表面に取付けられた材料の厚いブロックである。空気シール面は、取付けられるブロック及びうねっているパターンなしで、（その大きさに応じて）従来のサラウンドのように動作し、上述の固有の共鳴問題が発生する可能性がある。この薄い空気シール部及び円周うねりの表面上のブロックは、曲げに重要な局所抵抗を付加する。ブロックは、お互いに直接接続されないように、薄い膜によってのみ接続されるように配置される。このように、それらは互いにピボットして移動できるので、サラウンドの全体的な収縮を妨げない。それは、空気シールの半径方向の部分がその幅全体にわたってブロックで支持されるように、ブロックを重複するのに有用であることが分かっている。
【００２８】
いくつかのデザインにおいて、共鳴する点において大きな動きが見られる場合、サラウンドの部分にのみブロックを追加することが有効である。ブロックの位置、個数及び形状を調整することにより、サラウンドの動作全体を制御することができる。ブロックの存在は、問題の共鳴に対してサラウンドの減衰及び剛性を非常に増大するが、低周波数帯域でのサラウンドの機能にはほとんど影響を与えない。コーンは、小さい抵抗で前後に自由に動く。
【００２９】
新しいジオメトリは、通常圧縮成形や射出成形等のプロセスによって一体的に製造することができる。ブロックは空気シール膜の側に配置することができるが、これはそれらの動作に影響を与えるかは明らかではない。
【００３０】
サラウンドの設計とドライバに実質的に適用できるコーンドライバについてサラウンドとの関係で設計原理から、上記のセットは理解されるべきである。空気シール膜の表面からの突起（タブ、ブロック等）は、サラウンドが共鳴するように質量、剛性及び減衰に供する。うねりのパターンはまた、膜の共鳴を抑制することに供する。このように、サラウンドの共鳴動作として不要となるサラウンドの外部形状を調整する従来のアプローチは、直接影響を受ける可能性がある。上述したように、望ましくない共鳴のサラウンドを改善するために従来実施された特定の設計変更は、検討されていたサラウンドの設計に対して特異であった。ブロックの設計に関して同様の状況が存在し、後述する特別な実施形態は、それが意図されている状況で使用するときに示される形状に関して動作するものの１つであることを理解されるべきであるが、異なったサラウンドの正確な形状と状況に応じて調整することが必要かもしれない。それでもやはり、原理は維持されている。
【００３１】
これにもかかわらず、本発明は、本発明により適切に設計されることによって得られる望ましい共鳴特性の点と、サイズ及び形状に依存しないサラウンドの共鳴特性の点との両方で効果がある。したがって、これらのアイテムに対する若干の変更は、従来のドライバサラウンドのようにサラウンドの共鳴特性に劇的な効果を及ぼさない。このように、サラウンドの設計は、他のアイテムの変更に敏感でなく、それによりサラウンドの設計は関係のない設計変更に対してより重要になる。
【００３２】
例示された形態に目を向けると、図３は、サラウンド図を示している。図１及び図２に示す従来のサラウンドと同様に、これは、シャーシ（不図示）に固定される外側のフランジ２２と、ドライバコーン（不図示）に嵌合可能な内側のフランジ２４とを備える。内側フランジ２４から外側のフランジ２２に延びる空気シール膜２６が設けられる。図１及び図２に示す古典的なハーフロールの設計と同様に、これは最初に外側に延び、最も外側の領域（第１の弾性結合部）３０であって下方に曲がる部位に達する前にラウドスピーカのコーンに対してわずかに上方に延び、そして側壁３２は符号２８の部分で略直角に結合される外側のフランジ２２に延びる。
【００３３】
外側及びわずかに上方に延びるサラウンドの部分は、円周においてうねりのパターンを有する。サラウンドの周囲に等間隔の「バンプ」３６が形成され、そのためそれぞれは円周において１０°の範囲を占める。一般的に、１８から５４個のバンプが好ましく、更に好ましくは２７から４５個のバンプが更に好ましい。各バンプは、サラウンドの局所に配置され、バンプの周囲の領域において柔軟かつ円滑に接続される部分を備える。各バンプは、半径方向において正弦曲線に近いが、リング形状のサラウンドの中心に向かう方向において結合が緩やかになり非対称になる可能性があり、内側方向においてバンプの延長を形成する。バンプは、円周方向に対称であるが、サラウンドを通る円周部分が略正弦曲線のパターンを示すので、半径が増大するにつれて振幅が増大する。振幅は、最も外側の領域（第１の弾性結合部）３０においてゼロに徐々に減少する前に、バンプのピーク時に最大に達する。バンプは既存の部分の変形として適用されるので、正弦曲線（半径と円周の両方向）に近い。例えば、図１０に示す断面積はバンプを示していない。この部分に変形を適用することによって、本発明の実施形態に係るバンプを製造することができるが、それらは既存の形状の制約から完全に正弦曲線のプロファイルを持つとは考えにくい。
【００３４】
いずれの場合においても、バンプの正確な形状は、十分な性能特性を達成するために重要ではなく、本発明は本明細書に示した特定のバンププロファイルに限定しない。
【００３５】
しかしながら、一実施形態では、変形していないサラウンド（図１０を参照）に対する各バンプの振幅はしきい値未満に維持されている。別の実施形態では、各バンプの振幅は同じである。
【００３６】
図３−５のサラウンドは、タブ又はブロックの２セットを持っている。ブロック３４の第１のセットは、関連する曲線の外側の凹部においてジョイント（第２の弾性結合部）２８に対向して位置している。このようにそれらは、外側のフランジ２２から上方に延びており、外側のフランジ２２と空気シール膜２６との間の角度を橋渡ししている。
【００３７】
ブロック３６の第２のセットは、最も外側の範囲３０で曲線の背後にある凹部の空気シール膜２６の内側に配置される。それらは、空気シール膜の外側の範囲３０から側壁３２に沿って、それぞれが接続している部分まで延びている。
【００３８】
ブロック３４，３６の両方のセットは、（円形の）サラウンド周囲に延びており、各ブロックは約１０°の間隔で離されている。
【００３９】
一実施形態では、ブロック３４，３６及びバンプの相対的な方向は、サラウンドの周囲において同じに保たれている。つまり、最も近いブロック３４，３６に対する１つのバンプの方向は、それぞれの最も近いブロック３４，３６に対する全てのバンプの向きと同じである。このように、サラウンドにおけるバンプの個数は、ブロック３４の個数及びブロック３６の個数と同じである。
【００４０】
図６から８は、コーンが振動した際におけるサラウンドの動きの瞬間的なポイントを示す。内側のフランジ２４は、コーンの動きにしたがって動く。タブ３４，３６は、サラウンドをこの動きに適応させるために、収縮したり膨張したりする。したがって、このサラウンドは、コーンサラウンドの必要な機能要素を備える、すなわち、コーンの動きにかかわらずコーンの周囲において連続する空気シールを備える。しかしながら、ブロック３４，３６の剛性は、ブロック３４，３６が接続されている場所においてサラウンドに付加的な剛性を付与する。加えて、ブロックの質量はサラウンドの慣性に影響を与える。このように、両方の効果はサラウンドの動的応答に影響を与える。
【００４１】
ブロックの剛性は、材料、厚さ、及びブロックの他の形状因子によって決定される。ブロックの質量は、全体の大きさ及び材料によって決定される。したがって、ブロックの形状及び大きさを変えることによって、サラウンドの動的応答に関し高度に制御することができる。実際には、材料の選択はもちろん、サラウンドの残りの材料の選択によって決定されるが、いくつかの成形技術は複合サラウンドを許容することができる。
【００４２】
この新しいアプローチにより、サラウンドの共鳴問題は、従来のアプローチが採用されている場合に非常に問題となるサラウンドの形状を使用することが可能となる程度に緩和される。例えば、ＷＯ８９／１１２０１において概説されているようなソースラウドスピーカが符合する場合、ツイーターから放射される音に影響しないように円錐状の連続となるコーンドライバのサラウンドについて効果がある。従来のハーフロールの形状は、この状況には適していない。本発明のアプローチが使用される場合、それは通常あまりよく機能しないサラウンドの形状を使用することは可能であるが、支持部の結果として機能しない。支持部は、サラウンドの共鳴問題が現れないようにサラウンドの機能を変更することができる。
【００４３】
図９は、図３〜８に示すサラウンドにおいてブロックがある場合とない場合のドライバの周波数応答を示している。これは、２．８３Ｖの入力で、その中心軸上においてサラウンドからの圧力応答１ｍを算出するＦＥＭ／ＢＥＭシミュレーションによって得られた。ブロックがない場合のサラウンドは、応答曲線のかなりの部分において、３８で明確な異常を示している。これは、ブロックがあるサラウンドの曲線において完全に除去されている。その結果、ブロックのないサラウンドは約３００Ｈｚまで使用可能であるのに対し、ブロックのあるサラウンドは約１ｋＨｚまで使用可能である。
【００４４】
図１０は、ラウドスピーカ内に位置する上述のサラウンドを示している。ラウドスピーカは、駆動コーン４０と、図１０に示されている外側の先端とを備える。サラウンドの内側フランジ２４は、接着法によって、例えば少量の接着剤４２を使用することによって、コーン４０の外部に取り付けられる。サラウンドの外側のフランジ２２は、接着剤４６の層を介して、又はクランプ若しくは他の固定部材によって突起４４に固定される。突起４４は、必要とされている他のドライバとともにドライバ４０の残りの部分を収容する大きなラウドスピーカのキャビネット４８内に形成されている。トリム部５０は、外側のフランジ２２及びブロック３６の第２のセットの前において、外側のフランジ２２を超えて延びている。それは空気シール膜２６にまで延び（ただし、全く触れない）、しかしそれには接続されておらず、それによって空気シーリング膜が必要に応じて内側に収縮することができる。
【００４５】
図１１は、本発明の単純な形態を示している。サラウンドは、内側フランジ２４のうねりが省略されておりブロック３４，３６が省略されているが、上述のものと同じである。したがって、ラウドスピーカは、駆動コーン４０´と、図示されている外側の先端とを備える。サラウンドの内側フランジ２４´は接着法によって、例えば少量の接着剤４２´を用いることによってコーン４０の外縁に接続されている。サラウンドの外側フランジ２２´は接着剤４６´の層を介して、又はクランプ若しくは他の固定部材によって、突起４４´に固定されている。突起４４´は、必要とされている他のドライバとともにドライバ４０´の残りの部分を収容する大きなラウドスピーカのキャビネット４８内に形成されている。トリム部５０´は、外側フランジ２２´の前で、外側のフランジ２２´を超えて延びている。それは空気シール膜２６´まで延び（ただし、全く触れない）、しかしそれには接続されておらず、それによって空気シール膜は必要に応じて内側に収縮することができる。
【００４６】
小さい寸法及び／又は小さい振幅のラウドスピーカの場合、図１１に示されるようなより簡単なサラウンドは、共鳴（等）に対して十分な耐性がある。寸法が比較的小さい場合、サラウンド共鳴はドライバの動作帯で不規則的な共鳴を引き起こさない周波数において通常は十分に高い。それ以外の場合、内側フランジ２４におけるうねり又はブロック３４，３６は、必要に応じて再度設けることができ又は他の手段をとることができる。
【００４７】
本発明の範囲から逸脱することなく、多くの変形が上述した実施の形態に対してなされ得ることがもちろん理解される。
【図１】
0005739884.tif 000002
【図２】
0005739884.tif 000003
【図３】
0005739884.tif 000004
【図４】
0005739884.tif 000005
【図５】
0005739884.tif 000006
【図６】
0005739884.tif 000007
【図７】
0005739884.tif 000008
【図８】
0005739884.tif 000009
【図９】
0005739884.tif 000010
【図１０】
0005739884.tif 000011
【図１１】
0005739884.tif 000012